(57)【要約】【課題】高演色性のあるアレイ型発光装置を提供する。【解決手段】本発明の高演色性のあるアレイ型発光装置は、基板１、基板１に電気的に接続されたアレイ型発光モジュール２、複数の波長変換層３、及び複数の透光層４を含む。アレイ型発光モジュール２は、複数列の発光素子列からなり、各列の発光素子列は、複数の第１の発光チップと少なくとも一つの第２の発光チップとを備える。波長変換層３は、それぞれ、第１の発光チップを覆う。第１の発光チップが発する可視光の一部は、波長変換層により吸収されかつ他の発光ピーク波長範囲のある可視光に変換され、該他の発光ピーク波長範囲を有する可視光及び第２の発光チップが発生する投射光は、それぞれ光合成され、このアレイ型発光モジュール２は、演色性が９０〜９５の間に介在する白色光を合成できるようになる。【選択図】図１
2009060069.tif 000002
【特許請求の範囲】
【請求項１】
基板と、
前記基板に電気的に接続され、複数列の発光素子列からなり、各列の発光素子列は、発光波長範囲が４５０〜４６０ｎｍの間に介在する複数の第１の発光チップと、発光波長範囲が６２０〜６４０ｎｍの間に介在する少なくとも一つの第２の発光チップとを備えたアレイ型発光モジュールと、
前記第１の発光チップをそれぞれ覆う複数の波長変換層であって、該波長変換層のうちの一部は、緑色蛍光粉及びパッケージコロイドの混合であり、これらに対応する前記第１の発光チップは、発光ピーク波長範囲が５２０〜５４０ｎｍの間に介在する投射光を発生するようになり、さらに、該波長変換層の他一部は、黄色蛍光粉とパッケージコロイドの混合であり、これらに対応する前記第１の発光チップは、所定の色温のある投射光を発生するようになる、複数の波長変換層と、
前記第２の発光チップを覆う複数の透光層セットとを含み、
前記第１の発光チップが発する可視光の一部は、前記波長変換層により吸収され、かつ他の発光ピーク波長範囲のある可視光に変換され、該他の発光ピーク波長範囲を有する可視光及び前記第２の発光チップが発生する投射光は、それぞれ光合成され、これにより、演色性が９０〜９５の間に介在する白色光を合成できることを特徴とする高演色性のあるアレイ型発光装置。
【請求項２】
前記第１の発光チップは、青色発光ダイオードチップで、前記第２の発光チップは赤色発光ダイオードチップであることを特徴とする請求項１記載の高演色性のあるアレイ型発光装置。
【請求項３】
前記第２の発光チップは、それぞれ、異なる行の発光素子列に交互に設けられることを特徴とする請求項１記載の高演色性のあるアレイ型発光装置。
【請求項４】
前記所定の色温は、２８００〜１１０００Ｋの間であることを特徴とする請求項１記載の高演色性のあるアレイ型発光装置。
【請求項５】
前記黄色蛍光粉は、オレンジ色蛍光粉と緑色蛍光粉とを混合してなることを特徴とする請求項１記載の高演色性のあるアレイ型発光装置。
【請求項６】
前記波長変換層のうちの一つは、オレンジ色蛍光粉とパッケージコロイドとの混合であり、これに対応する前記第１の発光チップは、発光ピーク波長範囲が５９５〜６１０の間に介在される投射光を発生させることを特徴とする請求項１記載の高演色性のあるアレイ型発光装置。
【請求項７】
前記波長変換層のうちのさらに他の一部は、緑色蛍光粉とパッケージコロイドとの混合で、これらに対応する前記第１の発光チップは、発光ピーク波長範囲が４８０〜４９５の間に介在される投射光を発生させることを特徴とする請求項１記載の高演色性のあるアレイ型発光装置。
【請求項８】
前記波長変換層は、異なる割合で蛍光粉とパッケージコロイドとを混合してなることを特徴とする請求項１記載の高演色性のあるアレイ型発光装置。
【請求項９】
前記各列の発光素子列は、それぞれ、前記基板に並列して電気的に接続されることを特徴とする請求項１記載の高演色性のあるアレイ型発光装置。
【請求項１０】
前記各列の発光素子列の前記第１の発光チップ及び第２の発光チップは、それぞれ、前記基板に直列して電気的に接続されることを特徴とする請求項１記載の高演色性のあるアレイ型発光装置。
【請求項１１】
前記アレイ型発光モジュールは、４列の発光素子列からなり、各列の発光素子列は、３つの第１の発光チップ及び一つの第２の発光チップを有し、４×４のアレイ型発光モジュールを構成することを特徴とする請求項１記載の高演色性のあるアレイ型発光装置。
【請求項１２】
前記各第１の発光チップの電圧値範囲は、２．９〜４．０（Ｖ）の間に介在し、かつ、前記各第２の発光チップの電圧値範囲は、１．８〜２．８（Ｖ）の間に介在することを特徴とする請求項１記載の高演色性のあるアレイ型発光装置。
【請求項１３】
各列の発光素子列の総電圧値が１２Ｖであることを特徴とする請求項１記載の高演色性のあるアレイ型発光装置。
【請求項１４】
前記第１の発光チップ及び前記第２の発光チップは、それぞれ、所定距離、隔てられていることを特徴とする請求項１記載の高演色性のあるアレイ型発光装置。
【請求項１５】
前記基板は、それぞれ近接して配列される複数の収納溝を有し、前記第１の発光チップ及び前記第２の発光チップは、それぞれ、対応する前記収納溝内に収納されることを特徴とする請求項１記載の高演色性のあるアレイ型発光装置。
【発明の詳細な説明】
【技術分野】
【０００１】
本発明は、発光装置に係り、特に、高演色性のあるアレイ型発光装置を指すものである。
【背景技術】
【０００２】
発光ダイオード(Light-Emitting Diode;LED)は半導体装置で、サイズがいずれも小さく、その利点は、明るいカラーを高い効率で発生できる発射光源であり、かつ、発光ダイオードが発する光は、最適な単色ピークを有することにある。複数の発光ダイオードの発射を拡散及び合成することによって白光を発生させる場合、カラー合成の方法が必要である。
【０００３】
例えば、それぞれが発射光源であり、その波長が赤、緑、または青の可視光範囲内にそれぞれ介在する三つの発光ダイオード（すなわち、それぞれ赤色発光ダイオード、緑色発光ダイオード及び青色発光ダイオード）同士は、互いに近く設置しなければならない。しかしながら、各発光ダイオードはいずれも最適な単色ピークを有するため、これらのカラー色で合成して発生した白光が不均一になることもしばしばある。すなわち、三原色の発射光源で合成してから発生した白光は、不均一になる可能性があるため、三原色の発射光源は、あらゆる方式で合成することができない。
【０００４】
言い換えれば、高演色性(color renderingindex;CRI)の白光は、常に、半導体発光源が追求する目標である。上記のように、従来では様々な波長の発光ダイオードチップ、例えば、赤、緑、青の三色チップで配置してなる発光源を使用することがあるが、このような発光源は、演色性の８０％程度しか達成できず、かつ、従来は光合成が不均一という問題があった。
【発明の開示】
【発明が解決しようとする課題】
【０００５】
以上から分かるように、前記従来の白光発光装置は、実際の使用では、不便や欠点が明らかに存在している。
【０００６】
そのため、本発明者は、前記欠点が改良できるのを感心して、長年以来この領域で積み立てた経験により、専念な観察かつ研究をし、さらに学術理論の運用に合せ、やっと合理な設計且つ前記の欠点を有効に改良できた本発明を提案した。
【課題を解決するための手段】
【０００７】
本発明は、基板、アレイ型発光モジュール、複数の波長変換層(wavelength-converting layer)、及び複数の透光層(transparentlayer)を含む高演色性(color rendering index)のあるアレイ型発光装置(array type light-emitting device)を提供することを目的とする。
【０００８】
前記アレイ型発光モジュールは前記基板に電気的に接続され、前記アレイ型発光モジュールは、複数列の発光素子列からなり、各列の発光素子列は、発光波長範囲が４５０〜４６０ｎｍの間に介在する複数の第１の発光チップと、発光波長範囲が６２０〜６４０ｎｍの間に介在する少なくとも一つの第２の発光チップとを備える。
【０００９】
また、前記波長変換層うちの一部は、緑色蛍光粉及びパッケージコロイドの混合であり、これに対応する第１の発光チップは、発光ピーク波長範囲が５２０〜５４０ｎｍの間に介在する投射光を発生するようになり、さらに、前記波長変換層の他一部は、黄色蛍光粉とパッケージコロイドの混合であり、これに対応する第１の発光チップは、所定の色温のある投射光を発生するようになる。
【００１０】
よって、前記第１の発光チップが発する可視光の一部は、前記波長変換層により吸収されかつ他の発光ピーク波長範囲のある可視光に変換され、該他の発光ピーク波長範囲を有する可視光及び前記第２の発光チップが発生する投射光は、それぞれ光合成され、このアレイ型発光モジュールは、演色性が９０〜９５の間に介在する白色光を合成できるようになる。
【００１１】
本発明が所定の目的を達成するために採択した技術、手段及び効果をより詳しく理解するために、以下に添付図面を参照しながら本発明に関わる詳細な説明を行う。これにより、本発明の目的および特徴が、深くかつ具体的に理解できると確信しているが、添付図面は参考及び説明のみに使われ、本発明の主張範囲を狭義的に局限するものではないことは言うまでもないことである。
【発明を実施するための最良の形態】
【００１２】
図１及び図２は、それぞれ、本発明の第１実施形態に係る高演色性(color rendering index)のあるアレイ型発光装置(array typelight-emitting device)の平面図、及び本発明の図１の２−２線の断面図である。図から分かるように、本発明は、基板１、アレイ型発光モジュール２、複数の波長変換層(wavelength-converting layer set)３、及び複数の透光層(transparent layer set)４を含む高演色性(color rendering index)のあるアレイ型発光装置(array type light-emitting device)を提供する。
【００１３】
アレイ型発光モジュール２は基板１に電気的に接続され、かつ、アレイ型発光モジュール２は、複数の発光素子列（２１、２２、２３、２４）からなる。各列の発光素子列は、発光波長範囲が４５０〜４６０ｎｍの間に介在する複数の第１の発光チップと、発光波長範囲が６２０〜６４０ｎｍの間に介在する少なくとも一つの第２の発光チップとを備える。
【００１４】
図１に示すように、一列目の発光素子列２１は、３つの第１の発光チップ２１０及び１つの第２の発光チップ２１１を備える。二列目の発光素子列２２は、３つの第１の発光チップ２２０及び１つの第２の発光チップ２２１を備える。三列目の発光素子列２３は、３つの第１の発光チップ２３０及び１つの第２の発光チップ２３１を備える。四列目の発光素子列２４は、３つの第１の発光チップ２４０及び１つの第２の発光チップ２４１を備える。
【００１５】
そのうち、第１の発光チップ（２１０、２２０、２３０、２４０）は、青色の発光ダイオードチップで、第２の発光チップ（２１１、２２１、２３１、２４１）は、赤色の発光ダイオードチップであれば良い。また、第２の発光チップ（２１１、２２１、２３１、２４１）は、異なる行（互いに異なる２行）の発光素子列（２１、２２、２３、２４）にそれぞれ交互に設けられる。また、第１の発光チップ（２１０、２２０、２３０、２４０）及び第２の発光チップ（２１１、２２１、２３１、２４１）は、それぞれ、所定距離、隔てられている。
【００１６】
また、波長変換層３は、それぞれ、第１の発光チップ（２１０、２２０、２３０、２４０）を覆う。透光層４は、それぞれ、第２の発光チップ（２１１、２２１、２３１、２４１）を覆う。
【００１７】
波長変換層３のうちの一つは、オレンジ色蛍光粉及びパッケージコロイドの混合３Ｏであり、これに対応する一つ第１の発光チップ（例えば、四列目の発光素子列２４のうちの３つ目の第１の発光チップ２４０）は、発光ピーク波長範囲が５９５〜６１０ｎｍの間に介在する投射光を発生するようになる。
【００１８】
波長変換層３うちの別の一部は、緑色蛍光粉及びパッケージコロイドの混合３Ｇであり、これらに対応する一部の第１の発光チップ（例えば、一列目の発光素子列２１のうちの４つ目の第１の発光チップ２１０及び二列目の発光素子列２２うちの３つ目の第１の発光チップ２２０）は、発光ピーク波長範囲が「４８０〜４９５ｎｍの間」または「５２０〜５４０ｎｍの間」に介在する投射光を発生するようになる。
【００１９】
波長変換層３うちのさらに別の一部は、黄色蛍光粉及びパッケージコロイドの混合３Ｙであり、これらに対応する一部の第１の発光チップ（例えば、一列目の発光素子列２１のうちの１つ目の第１の発光チップ２１０及び二列目の発光素子列２２のうちの３つ目の第１の発光チップ２２０）は、色温が「２８００〜７０００Ｋの間」または「７０００〜１１０００Ｋの間」に介在する投射光を発生するようになる。なお、前記黄色蛍光粉はオレンジ色及び緑色で混合した蛍光粉に切り替えても良く、該オレンジ色及び緑色で混合した蛍光粉とパッケージコロイドの混合は、これに対応する第１の発光チップに、所定の色温を有する投射光を発生させる。
【００２０】
よって、第１の発光チップ（２１０、２２０、２３０、２４０）が発する可視光の一部は、波長変換層３により吸収されかつ他の発光ピーク波長範囲のある可視光に変換され、該他の発光ピーク波長範囲を有する可視光及び第２の発光チップ（２１１、２２１、２３１、２４１）が発生する投射光が、それぞれ光合成され、このアレイ型発光モジュール２は、演色性が９０〜９５の間に介在する白色光源を合成できるようになる。
【００２１】
しかしながら、第１の発光チップ（２１０、２２０、２３０、２４０）、及び第２の発光チップ（２１１、２２１、２３１、２４１）の配列の方式は、本発明を限定するものではない。いずれの、各列の発光素子列（２１、２２、２３、２４）が少なくとも一つの第２の発光チップ（２１１、２２１、２３１、２４１）を有し、かつ、波長変換層３は異なる割合の蛍光粉及びパッケージコロイドで混合して構成し、第１の発光チップ（２１０、２２０、２３０、２４０）をそれぞれ覆うものであれば、ともに本発明に保護される範囲である。
【００２２】
図３は、本実施形態に係る高演色性(color rendering index)のあるアレイ型発光装置(array typelight-emitting device)の回路図である。図１及び図３に合せて示すように、このアレイ型発光モジュール２は、４列の発光素子列（２１、２２、２３、２４）からなり、各列の発光素子列は、３つの第１の発光チップ及び１つの第２の発光チップを有し、４×４のアレイ型発光モジュールを構成する。また、各列の発光素子列（２１、２２、２３、２４）は、それぞれ、基板１に並列して電気的に接続され、かつ、各列の発光素子列（２１、２２、２３、２４）の第１の発光チップ及び第２の発光チップは、それぞれ、基板１に直列に電気的に接続される。
【００２３】
各第１の発光チップの電圧値範囲は、２．９〜４．０（Ｖ）の間に介在し、各第２の発光チップの電圧値範囲は、１．８〜２．８（Ｖ）の間に介在する。そのため、電気回路設計者は、異なる電圧値の第１の発光チップ及び第２の発光チップをあらゆる方式で組み合わせることができ、各列の発光素子列（２１、２２、２３、２４）の第１の発光チップ及び第２の発光チップは、それぞれ直列してなり総電圧値が約１２Ｖであるようになる。最適な場合に、各列の発光素子列の総電圧値が１２Ｖである。
【００２４】
図４ａは、本発明の第１実施形態に係る高演色性(color rendering index)のあるアレイ型発光装置(array typelight-emitting device)の第１実施例の発光チップのレイアウトを示す図である。図４ａの第１実施例について、以下に説明する。
【００２５】
Ｂ＋Ｐ（ＯＧ）は、「１つの青色発光ダイオードチップＢが、オレンジ色及び緑色で混合した蛍光粉とパッケージコロイドとの混合Ｐ（ＯＧ）に組み合わせられる」ことを意味し、これによって、色温(colortemperature)が２８００〜７０００Ｋの間に介在する白色投射光を発生させる。
【００２６】
Ｂ＋Ｐ（Ｇ）は、「１つの青色発光ダイオードチップＢが、緑色蛍光粉とパッケージコロイドとの混合Ｐ（Ｇ）に組み合わせられる」ことを意味し、これによって、発光ピーク波長範囲が５２０〜５４０ｎｍの間に介在する緑色投射光を発生させる。
【００２７】
Ｂ＋Ｐ（Ｏ）は、「１つの青色発光ダイオードチップＢが、オレンジ色蛍光粉とパッケージコロイドとの混合Ｐ（Ｏ）に組み合わせられる」ことを意味し、これによって、発光ピーク波長範囲が５９５〜６１０ｎｍであるオレンジ色投射光を発生させる。
【００２８】
Ｒ＋Ｔは、「１つの赤色発光ダイオードチップＲが、透光層Ｔに合わせられる」ことを意味し、これによって、発光ピーク波長範囲が６２０〜６４０ｎｍである赤色投射光を発生させる。
【００２９】
この場合、青色発光ダイオードチップＢが発する可視光の一部は、異なる波長変換層（Ｐ（ＯＧ）、Ｐ（Ｇ）、Ｐ（Ｏ））によって吸収され他の発光ピーク波長範囲のある可視光に変換され、かつ、該他の発光ピーク波長範囲のある可視光が、赤色発光ダイオードチップＲが発生する投射光と互いに混合され、本発明の第1実施形態のアレイ型発光モジュールの第１実施例は、色温が２５００〜４０００Ｋの間に介在する高演色性の白色光を合成できるようになる。
【００３０】
図４ｂは、本発明の第１実施形態に係る高演色性(color rendering index)のあるアレイ型発光装置(array typelight-emitting device)の第２実施例の発光チップのレイアウトを示す図である。図４ｂの第２実施例について、以下に説明する。
【００３１】
Ｂ＋Ｐ（ＯＧ）は、「１つの青色発光ダイオードチップＢが、オレンジ色及び緑色で混合した蛍光粉とパッケージコロイドとの混合Ｐ（ＯＧ）に組み合わせられる」ことを意味し、これによって、色温(colortemperature)が２８００〜７０００Ｋの間に介在する白色投射光を発生させる。
【００３２】
Ｂ＋Ｐ（Ｇ）は、「１つの青色発光ダイオードチップＢが、緑色蛍光粉とパッケージコロイドとの混合Ｐ（Ｇ）に組み合わせられる」ことを意味し、これによって、発光ピーク波長範囲が５２０〜５４０ｎｍの間に介在する緑色投射光を発生させる。
【００３３】
Ｂ＋Ｐ（ｇ）は、「１つの青色発光ダイオードチップＢが、緑色蛍光粉とパッケージコロイドとの混合Ｐ（ｇ）に組み合わせられる」ことを意味し、これによって、発光ピーク波長範囲が４８０〜４９５ｎｍの間に介在する緑色投射光を発生させる。
【００３４】
Ｂ＋Ｐ（Ｏ）は、「１つの青色発光ダイオードチップＢが、オレンジ色蛍光粉とパッケージコロイドとの混合Ｐ（Ｏ）に組み合わせられる」ことを意味し、これによって、発光ピーク波長範囲が５９５〜６１０ｎｍであるオレンジ色投射光を発生させる。
【００３５】
Ｒ＋Ｔは、「１つの赤色発光ダイオードチップＲが、透光層Ｔに合わせられる」ことを意味し、これによって、発光ピーク波長範囲が６２０〜６４０ｎｍである赤色投射光を発生させる。
【００３６】
この場合、青色発光ダイオードチップＢが発する可視光の一部は、異なる波長変換層（Ｐ（ＯＧ）、Ｐ（Ｇ）、Ｐ（ｇ）、Ｐ（Ｏ））によって吸収され他の発光ピーク波長範囲のある可視光に変換され、かつ、該他の発光ピーク波長範囲のある可視光が、赤色発光ダイオードチップＲが発生する投射光源と互いに混合され、本発明の第1実施形態のアレイ型発光モジュールの第２実施例は、色温が４０００〜６０００Ｋの間に介在する高演色性の白色光を合成できるようになる。
【００３７】
図４ｃは、本発明の第１実施形態に係る高演色性(color rendering index)のあるアレイ型発光装置(array typelight-emitting device)の第３実施例の発光チップのレイアウトを示す図である。図４ｃの第３実施例について、以下に説明する。
【００３８】
Ｂ＋Ｐ（ＯＧ）は、「１つの青色発光ダイオードチップＢが、オレンジ色及び緑色で混合した蛍光粉とパッケージコロイドとの混合Ｐ（ＯＧ）に組み合わせられる」ことを意味し、これによって、色温(colortemperature)が７０００〜１１０００Ｋの間に介在する白色投射光を発生させる。
【００３９】
Ｂ＋Ｐ（Ｇ）は、「１つの青色発光ダイオードチップＢが、緑色蛍光粉とパッケージコロイドとの混合Ｐ（Ｇ）に組み合わせられる」ことを意味し、これによって、発光ピーク波長範囲が５２０〜５４０ｎｍの間に介在する緑色投射光を発生させる。
【００４０】
Ｂ＋Ｐ（ｇ）は、「１つの青色発光ダイオードチップＢが、緑色蛍光粉とパッケージコロイドとの混合Ｐ（ｇ）に組み合わせられる」ことを意味し、これによって、発光ピーク波長範囲が４８０〜４９５ｎｍの間に介在する緑色投射光を発生させる。
【００４１】
Ｂ＋Ｐ（Ｏ）は、「１つの青色発光ダイオードチップＢが、オレンジ色蛍光粉とパッケージコロイドとの混合Ｐ（Ｏ）に組み合わせられる」ことを意味し、これによって、発光ピーク波長範囲が５９５〜６１０ｎｍであるオレンジ色投射光を発生させる。
【００４２】
Ｒ＋Ｔは、「１つの赤色発光ダイオードチップＲが、透光層Ｔに合わせられる」ことを意味し、これによって、発光ピーク波長範囲が６２０〜６４０ｎｍである赤色投射光を発生させる。
【００４３】
この場合、青色発光ダイオードチップＢが発する可視光の一部は、異なる波長変換層（Ｐ（ＯＧ）、Ｐ（Ｇ）、Ｐ（ｇ）、Ｐ（Ｏ））によって吸収され他の発光ピーク波長範囲のある可視光に変換され、かつ、該他の発光ピーク波長範囲のある可視光が、赤色発光ダイオードチップＲが発生する投射光源と互いに混合され、本発明の第1実施形態に係るアレイ型発光モジュールの第３実施例は、色温が６０００〜９０００Ｋの間に介在する高演色性の白色光を合成できるようになる。
【００４４】
図５及び図６は、それぞれ、本発明の第２実施形態に係る高演色性(color rendering index)のあるアレイ型発光装置(array typelight-emitting device)の平面図、及び本発明の図５の６−６線の断面図である。図から分かるように、本発明の第２実施形態のアレイ型発光装置と、前記第１実施形態のアレイ型発光装置との最も大きな違いは、第２実施形態のアレイ型発光装置の基板１’が、それぞれ近接して配列される複数の収納溝（収納凹部）１０’を有し、かつ、アレイ型発光モジュール２’の各発光素子列（２１’、２２’、２３’、２４’）の第１の発光チップ（２１０、２２０、２３０、２４０）及び第２の発光チップ（２１１、２２１、２３１、２４１）が、それぞれ、対応する収納溝１０’内に収納されることである。
【００４５】
図７ａ及び図７Ａは、本発明の第２実施形態に係る高演色性(color rendering index)のあるアレイ型発光装置(array typelight-emitting device)の第１実施例の発光チップのレイアウトを示す図、及びスペクトル図である。図７ａの第１実施例について、以下に説明する。
【００４６】
Ｂ＋Ｐ（ＯＧ）は、「１つの青色発光ダイオードチップＢが、オレンジ色及び緑色で混合した蛍光粉とパッケージコロイドとの混合Ｐ（ＯＧ）に組み合わせられる」ことを意味し、これによって、色温(colortemperature)が２８００〜７０００Ｋの間に介在する白色投射光を発生させる。
【００４７】
Ｂ＋Ｐ（Ｇ）は、「１つの青色発光ダイオードチップＢが、緑色蛍光粉とパッケージコロイドとの混合Ｐ（Ｇ）に組み合わせられる」ことを意味し、これによって、発光ピーク波長範囲が５２０〜５４０ｎｍの間に介在する緑色投射光を発生させる。
【００４８】
Ｂ＋Ｐ（Ｏ）は、「１つの青色発光ダイオードチップＢが、オレンジ色蛍光粉とパッケージコロイドとの混合Ｐ（Ｏ）に組み合わせられる」ことを意味し、これによって、発光ピーク波長範囲が５９５〜６１０ｎｍであるオレンジ色投射光を発生させる。
【００４９】
Ｒ＋Ｔは、「１つの赤色発光ダイオードチップＲが、透光層Ｔに合わせられる」ことを意味し、これによって、発光ピーク波長範囲が６２０〜６４０ｎｍである赤色投射光を発生させる。
【００５０】
この場合、青色発光ダイオードチップＢが発する可視光の一部は、異なる波長変換層（Ｐ（ＯＧ）、Ｐ（Ｇ）、Ｐ（Ｏ））によって吸収され他の発光ピーク波長範囲のある可視光に変換され、かつ、該他の発光ピーク波長範囲のある可視光が、赤色発光ダイオードチップＲが発生する投射光源と互いに混合され、本実施形態に係る第１実施例のアレイ型発光モジュールは、演色性（ＣＲＩ）が９３．１６で、色温が２５００〜４０００Ｋの高演色性の白色光を合成できるようになる（図７Ａ参照）。
【００５１】
図７ｂ及び図７Ｂは、本発明の第２実施形態に係る高演色性(color rendering index)のあるアレイ型発光装置(array typelight-emitting device)の第２実施例の発光チップのレイアウトを示す図、及びスペクトル図である。図７ｂの第２実施例について、以下に説明する。
【００５２】
Ｂ＋Ｐ（ＯＧ）は、「１つの青色発光ダイオードチップＢが、オレンジ色及び緑色で混合した蛍光粉とパッケージコロイドとの混合Ｐ（ＯＧ）に組み合わせられる」ことを意味し、これによって、色温(colortemperature)が２８００〜７０００Ｋの間に介在する白色投射光を発生させる。
【００５３】
Ｂ＋Ｐ（Ｇ）は、「１つの青色発光ダイオードチップＢが、緑色蛍光粉とパッケージコロイドとの混合Ｐ（Ｇ）に組み合わせられる」ことを意味し、これによって、発光ピーク波長範囲が５２０〜５４０ｎｍの間に介在する緑色投射光を発生させる。
【００５４】
Ｒ＋Ｔは、「１つの赤色発光ダイオードチップＲが、透光層Ｔに合わせられる」ことを意味し、これによって、発光ピーク波長範囲が６２０〜６４０ｎｍである赤色投射光を発生させる。
【００５５】
この場合、青色発光ダイオードチップＢが発する可視光の一部は、異なる波長変換層（Ｐ（ＯＧ）、Ｐ（Ｇ））によって吸収され他の発光ピーク波長範囲のある可視光に変換され、かつ、該他の発光ピーク波長範囲のある可視光が、赤色発光ダイオードチップＲが発生する投射光源と互いに混合され、本実施形態に係る第２実施例のアレイ型発光モジュールは、演色性（ＣＲＩ）が９０．４６で、色温が４０００〜６０００Ｋの高演色性の白色光を合成できるようになる（図７Ｂ参照）。
【００５６】
図７ｃ及び図７Ｃは、本発明の第２実施形態に係る高演色性(color rendering index)のあるアレイ型発光装置(array typelight-emitting device)の第３実施例の発光チップのレイアウトを示す図、及びスペクトル図である。図７ｃの第３実施例について、以下に説明する。
【００５７】
Ｂ＋Ｐ（ＯＧ）は、「１つの青色発光ダイオードチップＢが、オレンジ色及び緑色で混合した蛍光粉とパッケージコロイドとの混合Ｐ（ＯＧ）に組み合わせられる」ことを意味し、これによって、色温(colortemperature)が７０００〜１１０００Ｋの間に介在する白色投射光を発生させる。
【００５８】
Ｂ＋Ｐ（Ｇ）は、「１つの青色発光ダイオードチップＢが、緑色蛍光粉とパッケージコロイドとの混合Ｐ（Ｇ）に組み合わせられる」ことを意味し、これによって、発光ピーク波長範囲が５２０〜５４０ｎｍの間に介在する緑色投射光を発生させる。
【００５９】
Ｒ＋Ｔは、「１つの赤色発光ダイオードチップＲが、透光層Ｔに合わせられる」ことを意味し、これによって、発光ピーク波長範囲が６２０〜６４０ｎｍである赤色投射光を発生させる。
【００６０】
この場合、青色発光ダイオードチップＢが発する可視光の一部は、異なる波長変換層（Ｐ（ＯＧ）、Ｐ（Ｇ））によって吸収され他の発光ピーク波長範囲のある可視光に変換され、かつ、該他の発光ピーク波長範囲のある可視光が、赤色発光ダイオードチップＲが発生する投射光源と互いに混合され、本実施形態に係る第３実施例のアレイ型発光モジュールは、色温が２５００〜４０００Ｋの高演色性の白色光を合成できるようになる（図７Ｃ参照）。
【００６１】
以上のように、本発明の特徴は、各列の発光素子列が複数の青色発光ダイオードチップ及び少なくとも一つの赤色発光ダイオードチップを有することにある。さらに、波長変換層うちの一部は、緑色蛍光粉とパッケージコロイドの混合で、これらに対応する第１の発光チップは、発光ピーク波長範囲が５２０〜５４０ｎｍの間に介在する投射光を発生するようになり、さらに、波長変換層の他一部は、オレンジ色及び緑色で混合した蛍光粉とパッケージコロイドの混合であり、これらに対応する他の一部の第１の発光チップは所定の色温の投射光を発生するようになる。また、第２の発光チップは、それぞれ、異なる行の発光素子列に交互に設けられる。よって、アレイ型発光モジュールは、演色性が９０〜９５の間に介在する白色光源を合成できるようになる。
【００６２】
しかし、前記の説明は、単に本発明の好ましい具体的な実施例の詳細説明及び図面に過ぎず、本発明の特許請求の範囲を局限するものではなく、本発明の主張する範囲は、特許請求の範囲に基づくべきであり、いずれの当該分野における通常の知識を有する専門家が本発明の分野の中で、適当に変更や修飾などを実施できるが、それらの実施のことが本発明の主張範囲内に納入されるべきことは言うまでもないことである。
【図面の簡単な説明】
【００６３】
【図１】図１は、本発明の第１実施形態に係る高演色性のあるアレイ型発光装置の平面図である。
【図２】図２は、図１の２−２線の断面図である。
【図３】図３は、本発明の第１実施形態に係る高演色性のあるアレイ型発光装置がの回路図である。
【図４ａ】図４ａは、本発明の第１実施形態に係る高演色性のあるアレイ型発光装置の第１実施例の発光チップのレイアウトを示す図である。
【図４ｂ】図４ｂは、本発明の第１実施形態に係る高演色性のあるアレイ型発光装置の第２実施例の発光チップのレイアウトを示す図である。
【図４ｃ】図４ｃは、本発明の第１実施形態に係る高演色性のあるアレイ型発光装置の第３実施例の発光チップのレイアウトを示す図である。
【図５】図５は、本発明の第２実施形態に係る高演色性のあるアレイ型発光装置の平面図である。
【図６】図６は、図５の６−６線の断面図である。
【図７ａ】図７ａは、本発明の第２実施形態に係る高演色性のあるアレイ型発光装置の第１実施例の発光チップのレイアウトを示す図である。
【図７Ａ】図７Ａは、本発明の第２実施形態に係る高演色性のあるアレイ型発光装置の第１実施例のスペクトル図である。
【図７ｂ】図７ｂは、本発明の第２実施形態に係る高演色性のあるアレイ型発光装置の第２実施例の発光チップのレイアウトを示す図である。
【図７Ｂ】図７Ｂは、本発明の第２実施形態に係る高演色性のあるアレイ型発光装置の第２実施例のスペクトル図である。
【図７ｃ】図７ｃは、本発明の第２実施形態に係る高演色性のあるアレイ型発光装置の第３実施例の発光チップのレイアウトを示す図である。
【図７Ｃ】図７Ｃは、本発明の第２実施形態に係る高演色性のあるアレイ型発光装置の第３実施例のスペクトル図である。
【符号の説明】
【００６４】
１、１’  基板
２  アレイ型発光モジュール
２１  発光素子列
２１０  第１の発光チップ
２１１  第２の発光チップ
２２  発光素子列
２２０  第１の発光チップ
２２１  第２の発光チップ
２３  発光素子列
２３０  第１の発光チップ
２３１  第２の発光チップ
２４  発光素子列
２４０  第１の発光チップ
２４１  第２の発光チップ
２’  アレイ型発光モジュール
２１’  発光素子列
２２’  発光素子列
２３’  発光素子列
２４’  発光素子列
３  波長変換層
３Ｏ  オレンジ色蛍光粉とパッケージコロイドとの混合
３Ｇ  緑色蛍光粉とパッケージコロイドとの混合
３Ｙ  黄色蛍光粉とパッケージコロイドとの混合
４  透光層
Ｂ  青色発光ダイオードチップ
Ｒ  赤色発光ダイオードチップ
Ｔ  透光層
Ｐ（ＯＧ）  オレンジ色及び緑色で混合した蛍光粉とパッケージコロイドとの混合
Ｐ（Ｇ）  緑色蛍光粉とパッケージコロイドとの混合
Ｐ（Ｏ）  オレンジ色蛍光粉とパッケージコロイドとの混合
【図１】
2009060069.tif 000003
【図２】
2009060069.tif 000004
【図３】
2009060069.tif 000005
【図４ａ】
2009060069.tif 000006
【図４ｂ】
2009060069.tif 000007
【図４ｃ】
2009060069.tif 000008
【図５】
2009060069.tif 000009
【図６】
2009060069.tif 000010
【図７ａ】
2009060069.tif 000011
【図７Ａ】
2009060069.tif 000012
【図７ｂ】
2009060069.tif 000013
【図７Ｂ】
2009060069.tif 000014
【図７ｃ】
2009060069.tif 000015
【図７Ｃ】
2009060069.tif 000016